(57)【要約】      （修正有）【課題】有効領域でのタッチパネルの透明性を向上させ、ベゼル領域での導体線の断線を防止し、抵抗値を低減させることができるタッチパネルを提供する。【解決手段】基板２１０と、基板上に設けられる複数の電極２２３、２２６を備える電極部２２０と、を含む。電極部はメッシュ状に形成される複数の導体線からなり、電極部は基板の複数の領域別に異なる開口率を有する。【選択図】図６
2015049909.tif 000002
【特許請求の範囲】
【請求項１】
基板と、
前記基板上に設けられる複数の電極を備える電極部と、を含み、
前記電極部はメッシュ状に形成される複数の導体線からなり、前記電極部は前記基板の複数の領域別に異なる開口率を有する、タッチパネル。
【請求項２】
前記複数の領域は有効領域及びベゼル領域を含み、
前記有効領域上の前記電極部の開口率は、前記ベゼル領域上の前記電極部の開口率より大きい、請求項１に記載のタッチパネル。
【請求項３】
前記ベゼル領域の前記電極部の開口率は、前記有効領域の前記電極部の開口率の２０％〜８０％である、請求項２に記載のタッチパネル。
【請求項４】
前記電極部の開口率は、前記複数の導体線のピッチ及び線幅の少なくとも１つによって決まる、請求項１から３の何れか１項に記載のタッチパネル。
【請求項５】
前記ベゼル領域上に設けられる前記電極部の導体線の線幅は、前記有効領域上に設けられる前記電極部の導体線の線幅の１００％〜４００％である、請求項２に記載のタッチパネル。
【請求項６】
前記有効領域上に設けられる前記電極部の導体線の線幅は、０．５μｍ〜６μｍである、請求項５に記載のタッチパネル。
【請求項７】
前記ベゼル領域上に設けられる前記電極部の導体線の線幅は、０．５μｍ〜２４μｍである、請求項５または６に記載のタッチパネル。
【請求項８】
前記ベゼル領域上に設けられる前記電極部の導体線のピッチは、前記有効領域上に設けられる前記電極部の導体線のピッチの５０％〜１００％である、請求項２に記載のタッチパネル。
【請求項９】
前記有効領域上に設けられる前記電極部の導体線のピッチは、２０μｍ〜５００μｍである、請求項８に記載のタッチパネル。
【請求項１０】
前記ベゼル領域上に設けられる前記電極部の導体線のピッチは、１０μｍ〜５００μｍである、請求項８または９に記載のタッチパネル。
【請求項１１】
前記ベゼル領域の面積は、前記有効領域の面積の１％〜５％である、請求項２に記載のタッチパネル。
【請求項１２】
前記ベゼル領域は少なくとも２つのベゼル領域を含み、前記少なくとも２つのベゼル領域に設けられる電極部の開口率は、前記電極部から検知信号を獲得する軟性印刷回路基板との距離によってそれぞれ決まる、請求項２に記載のタッチパネル。
【請求項１３】
前記少なくとも２つのベゼル領域に設けられる電極部の開口率は、前記軟性印刷回路基板との距離が遠いほど、開口率が低い、請求項１２に記載のタッチパネル。
【請求項１４】
前記有効領域は少なくとも２つの有効領域を含み、前記少なくとも２つの有効領域に設けられる電極部の開口率は、前記基板の中心点との距離によってそれぞれ決まる、請求項２に記載のタッチパネル。
【請求項１５】
前記少なくとも２つの有効領域に設けられる電極部の開口率は、前記基板の中心点との距離が近いほど、開口率が高い、請求項１４に記載のタッチパネル。
【請求項１６】
前記少なくとも２つの有効領域は、前記基板の中心点との距離によって所定の面積を有する、請求項１４または１５に記載のタッチパネル。
【請求項１７】
前記複数の導体線は、Ａｇ、Ａｌ、Ｃｒ、Ｎｉ、Ｍｏ、Ｃｕのいずれか一つの金属またはＡｇ、Ａｌ、Ｃｒ、Ｎｉ、Ｍｏ、Ｃｕの少なくとも２つを含む合金で形成される、請求項１から１６の何れか１項に記載のタッチパネル。
【請求項１８】
前記基板は、ＰＥＴ（Ｐｏｌｙｅｔｈｙｌｅｎｅ  ｔｅｒｅｐｈｔｈａｌａｔｅ）、ＰＣ（ｐｏｌｙｃａｒｂｏｎａｔｅ）、ＰＥＳ（ｐｏｌｙｅｔｈｅｒｓｕｌｆｏｎｅ）、ＰＩ（ｐｏｌｙｉｍｉｄｅ）、ＰＭＭＡ（ＰｏｌｙｍｅｔｈｌｙｍｅｔｈＡｃｒｙｌａｔｅ）、ＣＯＰ（Ｃｙｃｌｏ−Ｏｌｅｆｉｎ  Ｐｏｌｙｍｅｒｓ）、ソーダガラス（Ｓｏｄａ  ｇｌａｓｓ）、及び強化ガラス（ｔｅｍｐｅｒｅｄ  ｇｌａｓｓ）の少なくとも１つにより形成される、請求項１から１７の何れか１項に記載のタッチパネル。
【請求項１９】
前記開口率は、前記複数の導体線のピッチ及び線幅に対して、下記数学式を満たす、請求項１から１８の何れか１項に記載のタッチパネル。
【数１】
2015049909.tif 000005
（ｔｏ：開口率、Ｔ：ピッチ、ｄ：線幅）
【請求項２０】
前記複数の電極は、
第１軸方向に延びる複数の第１電極と、
前記第１軸方向と交差する第２軸方向に延びる複数の第２電極と、を含む、請求項１から１９の何れか１項に記載のタッチパネル。
【請求項２１】
前記複数の第１電極及び前記複数の第２電極は、前記基板の同一面または異なる面に形成される、請求項２０に記載のタッチパネル。
【請求項２２】
基板と、
前記基板に形成される複数の電極を備える電極部と、を含み、
前記電極部はメッシュ状の導体線からなり、前記導体線は前記基板の縁から中心に近づくほど、開口率が増加する、タッチパネル。
【請求項２３】
前記導体線により形成される複数のメッシュ状の開口率は、１０％〜９９％の範囲で変動される、請求項２２に記載のタッチパネル。
【請求項２４】
前記導体線の線幅は、０．５μｍ〜２４μｍの範囲で変動される、請求項２２または２３に記載のタッチパネル。
【請求項２５】
前記導体線のピッチは、１０μｍ〜５００μｍの範囲で変動される、請求項２２から２４の何れか１項に記載のタッチパネル。
【発明の詳細な説明】
【技術分野】
【０００１】
本発明は、タッチパネルに関する。
【背景技術】
【０００２】
タッチスクリーン、タッチパッドなどの接触検知装置は、ディスプレイ装置に付着され、ユーザーに直感的な入力方法を提供することができる入力装置であり、近年、携帯電話、ＰＤＡ（Ｐｅｒｓｏｎａｌ  Ｄｉｇｉｔａｌ  Ａｓｓｉｓｔａｎｔ）、ナビゲーションなどの様々な電子機器に広く適用されている。特に、最近では、スマートフォンの需要が増加し、制限されたフォームファクタで様々な入力方法を提供することができるタッチスクリーンの採用率が日々増加している。
【０００３】
携帯用機器に適用されるタッチスクリーンは、タッチ入力を検知する方法によって、抵抗膜方式と静電容量方式に大別でき、そのうち、静電容量方式は、相対的に寿命が長く、様々な入力方法とジェスチャーを容易に具現できるという長所により、その適用率が次第に増加している。特に、静電容量方式は、抵抗膜方式に比べて、マルチタッチインタフェースを具現することが容易であるため、スマートフォンなどの機器に幅広く適用される。
【０００４】
静電容量方式のタッチスクリーンは、一定のパターンを有する複数の電極を含み、タッチ入力によって静電容量の変化が発生する複数のノードが上記複数の電極により定義される。２次元平面に分布する複数のノードは、タッチ入力によって自己静電容量（Ｓｅｌｆ−Ｃａｐａｃｉｔａｎｃｅ）または結合静電容量（Ｍｕｔｕａｌ−Ｃａｐａｃｉｔａｎｃｅ）の変化が発生し、複数のノードで発生した静電容量の変化に加重平均計算方法等を適用してタッチ入力の座標を計算することができる。
【０００５】
従来のタッチパネルは、通常、タッチを認識するセンシング電極をＩＴＯ（Ｉｎｄｉｕｍ  Ｔｉｎ  Ｏｘｉｄｅ；インジウム−スズ酸化物）で形成した。しかし、ＩＴＯの場合、原料であるインジウム（Ｉｎｄｉｕｍ）が希土類金属で、高価であるため、価格競争力が低下するだけでなく、１０年内に枯渇が予想され、需給が円滑でないという問題がある。上記のような理由から、不透明な導電体細線を利用して電極を形成するための研究が行われており、導電体細線からなる電極は、ＩＴＯや導電性高分子に比べて電気伝導度に著しく優れ、需給が円滑であるという長所を有する。但し、導電体細線をタッチスクリーン用電極として利用するためには、透明性と不可視性を高め、端子抵抗を抑制しなければならない。
【０００６】
下記特許文献１には、静電容量方式のタッチスクリーンにおける縁部分の出力座標を補強するために縁部分のセンサ電極の面積を増加させ、距離を縮小させる内容が開示されているが、これはＩＴＯを利用した電極を構成したもので、導体線を用いて電極を具現する内容、及び有効領域とベゼル領域の導体線の開口率を異ならせる内容は開示されていない。
【先行技術文献】
【特許文献】
【０００７】
【特許文献１】韓国公開特許公報１０‐２０１３‐００４４４３２号
【発明の概要】
【発明が解決しようとする課題】
【０００８】
本発明の課題は、有効領域とベゼル領域において、メッシュ状の導体線の開口率を異ならせて、有効領域でのタッチパネルの透明性を向上させ、ベゼル領域での導体線の断線を防止し、抵抗値を低減させることができるタッチパネルを提供することである。
【課題を解決するための手段】
【０００９】
本発明の一実施形態によるタッチパネルは、基板と、上記基板上に設けられる複数の電極を備える電極部と、を含み、上記電極部はメッシュ状に形成される複数の導体線からなり、上記電極部は上記基板の複数の領域別に異なる開口率を有することができる。
【発明の効果】
【００１０】
本発明の一実施形態によると、有効領域でのタッチパネルの透明性を向上させ、ベゼル領域での導体線の断線を防止して、抵抗値を低減させることができる。
【図面の簡単な説明】
【００１１】
【図１】本発明の一実施形態によるタッチパネルを含む電子機器の外観を示した斜視図である。
【図２】本発明の一実施形態によるタッチパネルの正面図である。
【図３】図２の実施形態によるタッチパネルをより詳細に示した正面図である。
【図４】本発明の一実施形態によるタッチパネルの断面図である。
【図５】本発明の一実施形態による導体線の一部拡大図である。
【図６】本発明の様々な実施形態によるタッチパネルを示した斜視図である。
【図７】本発明の様々な実施形態によるタッチパネルを示した斜視図である。
【図８】本発明の様々な実施形態によるタッチパネルを示した斜視図である。
【発明を実施するための形態】
【００１２】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００１３】
図１は、本発明の一実施形態によるタッチパネルを含む電子機器の外観を示した斜視図である。
【００１４】
図１を参照すると、一実施形態による電子機器１００は、画面を出力するためのディスプレイ装置１１０、入力部１２０、音声出力のためのオーディオ部１３０などを含み、ディスプレイ装置１１０と一体化して形成されるタッチスクリーン装置（不図示）を備えてもよく、タッチスクリーン装置内にタッチパネルが含まれてもよい。
【００１５】
タッチスクリーン装置は、基板及び基板上に設けられる複数の電極を備えるタッチパネルを含んでもよい。また、複数の電極で生成される静電容量の変化を検出するための静電容量検知回路と、静電容量検知回路の出力信号をデジタル値に変換するアナログ−デジタル変換回路、デジタル値に変換されたデータを用いてタッチ入力を判断する演算回路などを備えたコントローラ集積回路（接触検知装置）と、を含んでもよい。
【００１６】
図２は、本発明の一実施形態によるタッチパネルの正面図である。
【００１７】
図２を参照すると、一実施形態によるタッチパネル２００は、基板２１０、基板２１０上に設けられる電極部２２０、電極部２２０のそれぞれと連結される複数のパッドを含むパッド部２３０、及びベゼル部２４０を含んでもよい。
【００１８】
図２には示されていないが、電極部２２０のそれぞれと連結されるパッド部２３０は、配線及びボンディングパッドを介して基板２１０の一端に付着される軟性印刷回路基板と電気的に連結されてもよい。回路基板にはコントローラ集積回路が実装されて、電極部２２０で生成さる検知信号を検出し、それによりタッチ入力を判断することができる。
【００１９】
基板２１０は、ＰＥＴ（Ｐｏｌｙｅｔｈｙｌｅｎｅ  ｔｅｒｅｐｈｔｈａｌａｔｅ）、ＰＣ（ｐｏｌｙｃａｒｂｏｎａｔｅ）、ＰＥＳ（ｐｏｌｙｅｔｈｅｒｓｕｌｆｏｎｅ）、ＰＩ（ｐｏｌｙｉｍｉｄｅ）、ＰＭＭＡ（ＰｏｌｙｍｅｔｈｌｙｍｅｔｈＡｃｒｙｌａｔｅ）、ＣＯＰ（Ｃｙｃｌｏ−Ｏｌｅｆｉｎ  Ｐｏｌｙｍｅｒｓ）などのフィルム、ソーダガラス（Ｓｏｄａ  ｇｌａｓｓ）または強化グラス（ｔｅｍｐｅｒｅｄ  ｇｌａｓｓ）のような材質で形成されてもよい。
【００２０】
電極部２２０は、Ｘ軸（１軸）方向に延びる第１電極２２３と、Ｙ軸（２軸）方向に延びる第２電極２２６と、を含んでもよい。第１電極２２３と第２電極２２６は基板２１０の両面に設けられるか、または別々の基板２１０に設けられて交差されてもよく、基板２１０の一面に全てが設けられる場合には第１電極２２３と第２電極２２６の交差地点に部分的に所定の絶縁層を形成してもよい。
【００２１】
電極部２２０と電気的に連結されてタッチ入力を検知する装置は、タッチ入力によって電極部２２０で生成される静電容量の変化を検出し、それによりタッチ入力を検知する。第１電極２２３は、コントローラ集積回路において、Ｄ１〜Ｄ８と定義されるチャネルに連結されて、所定の駆動信号の印加を受けることができ、第２電極２２６は、Ｓ１〜Ｓ８と定義されるチャネルに連結されて接触検知装置が検知信号を検出するのに用いられもよい。このとき、コントローラ集積回路は、第１電極２２３と第２電極２２６の間で生成される結合静電容量（ｍｕｔｕａｌ−ｃａｐａｃｉｔａｎｃｅ）の変化を検出して検知信号を獲得することができ、第１電極２２３のそれぞれに順に駆動信号を印加し、第２電極２２６で同時に静電容量の変化を検知する方式で動作することができる。
【００２２】
チャネルＤ１〜Ｄ８を介して第１電極２２３に駆動信号が印加されると、駆動信号が印加された第１電極２２３と第２電極２２６の間で結合静電容量が生成される。タッチパネルに接触物体が接触すると、結合静電容量の静電容量の変化が発生し、静電容量の変化は接触物体の面積に比例することができる。
【００２３】
図３は、図２の実施形態によるタッチパネルをより詳細に示したものである。
【００２４】
図３を参照すると、電極部２２０は導体線からなり、電極部２２０を構成する導体線は、網目状またはメッシュ状に形成されてもよい。導体線が網目状またはメッシュ状に形成されることにより、従来ＩＴＯ（Ｉｎｄｉｕｍ−Ｔｉｎ  Ｏｘｉｄｅ）電極が存在する領域でパターニングの跡が見えていた現象を減少させ、タッチパネルの透過性を向上させることができる。
【００２５】
図３には、電極部２２０を構成する導体線が、菱形または四角形に形成されたものが示されているが、これに限定されず、六角形、八角形、ダイヤモンド形及び無定形（ｒａｎｄｏｍ）など当業者が自明、または容易に導出できる範囲まで本発明に属する。
【００２６】
電極部２２０を構成する導体線は、銀（Ａｇ）、アルミニウム（Ａｌ）、クロム（Ｃｒ）、ニッケル（Ｎｉ）、モリブデン（Ｍｏ）、銅（Ｃｕ）のいずれか一つまたはこれらの合金で製造されてもよく、電極部２２０が金属で製造されることにより、電極の抵抗値が減少するため、導電性及び検知感度が向上することができる。
【００２７】
パッド部２３０、パッド部２３０と回路基板を電気的に連結するための配線、及びボンディングパッド等は、通常、不透明な金属材料で形成されるが、これを視覚的に遮蔽するために、ベゼル部２４０が基板２１０の所定の領域に設けられる。
【００２８】
ベゼル部２４０は、ユーザーのタッチ入力が印加され、タッチパネルと一体化して形成されるディスプレイ装置で画面が出力される領域（ビュー（Ｖｉｅｗ）領域）またはタッチ入力が印加される領域（活性（Ａｃｔｉｖｅ）領域）を除いた基板２１０の領域に設けられるが、通常、ベゼル部２４０は、基板２１０の縁部分に位置する。以下では、説明の便宜上、ベゼル部２４０が設けられる領域をベゼル領域、その他の領域を有効領域という。
【００２９】
図４は、本発明の一実施形態によるタッチパネルの断面図である。
【００３０】
図４を参照すると、ベゼル部２４０は、不透明なパッド部２３０をより確実に遮蔽するために、パッド部２３０が設けられる領域より広く基板２１０に設けられる。一実施形態では、ベゼル部２４０が基板２１０上に積層されて形成されるものが示されているが、これと異なって、基板２１０に埋め込まれて形成されてもよい。電極部２２０の導体線は、基板２１０からベゼル部２４０側に延びてパッド部２３０と接続されてもよい。
【００３１】
図５は、本発明の一実施形態による導体線の一部拡大図である。電極部２２０の開口率は、導体線のピッチ（ｐｉｔｃｈ）Ｔ及び線幅ｄにより定義されることができ、ピッチＴが大きくて線幅ｄが小さいほど、電極部２２０の開口率が高くなる。通常、電極部２２０の開口率ｔｏはピッチＴ及び線幅ｄと下記数学式１のような関係がある。
【００３２】
【数１】
2015049909.tif 000003
【００３３】
図６〜図８は、本発明の様々な実施形態によるタッチパネルを示した斜視図である。図６〜図８において、タッチパネル２００の上側に図示されている平面は、実際に存在するのではなく、電極部２２０の開口率を説明するために、基板２１０を分割する領域を示したものである。
【００３４】
図６を参照すると、基板２１０の有効領域Ａとベゼル領域Ｂに形成される電極部２２０の開口率は異なってもよい。上述したように、タッチパネルの有効領域Ａは、ディスプレイ画面が出力され、タッチが入力される所に該当し、タッチパネルの透明性と導体線の不可視性を上げるために、有効領域Ａに設けられる電極部２２０の開口率を、ベゼル領域Ｂに設けられる電極部２２０の開口率より高く設定する。また、ベゼル領域Ｂは、開口率をより低く設定して抵抗を下げ、ベゼル領域Ｂに設けられるベゼル部２４０による段差のために導体線が断線する現象を防止する。
【００３５】
このとき、ベゼル領域Ｂに設けられる電極部２２０の開口率は、有効領域Ａに設けられる電極部２２０の開口率に対して、２０％〜８０％であってもよい。
【００３６】
下表１は、有効領域Ａの開口率に対するベゼル領域Ｂの開口率の比率（Ｂ／Ａ）に対応するベゼル領域Ｂの断線率及び有効領域Ａの導体線の線幅を示したものである。下表１における有効領域Ａの導体線の線幅は、目標導体線の線幅を３μｍと想定した場合、開口率の比率（Ｂ／Ａ）に応じて実際製造される導体線の線幅に該当する。
【００３７】
下表１を参照すると、開口率の比率（Ｂ／Ａ）が２０％未満の場合は、ベゼル領域の導体線の断線率は低いが、目標線幅と実際製造される線幅との偏差が大きいことが分かる。有効領域Ａとベゼル領域Ｂの開口率に大きな差がある場合、ベゼル領域Ｂに設けられる電極はエッチングする部分が多いが、有効領域Ａに設けられる電極はエッチングする部分が少ないため、エッチングを行う部分の面積が異なることによって目標線幅より実際製造される線幅が広い現象が発生する。
【００３８】
また、開口率の比率（Ｂ／Ａ）が８０％超の場合は、目標線幅と実際製造される線幅が同一であるが、ベゼル領域の導体線の断線率が急増する。
【００３９】
一実施形態によると、ベゼル領域Ｂに設けられる電極部２２０の開口率を有効領域Ａに設けられる電極部２２０の開口率の２０％〜８０％に設定して、目標線幅と実際製造される線幅の偏差を低減させて、ベゼル領域Ｂの導体線の断線を防止することができる。
【００４０】
【表１】
2015049909.tif 000004
【００４１】
具体的には、導体線のピッチが同一の場合、ベゼル領域Ｂの導体線の線幅は、有効領域Ａの導体線の線幅の１００％〜４００％であってもよく、有効領域Ａの導体線の線幅が０．５μｍ〜６μｍに設定されると、ベゼル領域Ｂの導体線の線幅は０．５μｍ〜２４μｍに設定されることができる。
【００４２】
導体線の線幅が同一の場合、ベゼル領域Ｂの導体線のピッチは、有効領域Ａの導体線のピッチの５０％〜１００％であってもよい。有効領域Ａの導体線のピッチが２０μｍ〜５００μｍに設定されると、ベゼル領域Ｂの導体線のピッチは１０μｍ〜５００μｍ に設定されることができる。
【００４３】
なお、線幅とピッチを同時に異ならせて開口率を異ならせることもできる。
【００４４】
一方、有効領域Ａとベゼル領域Ｂの面積は設定によって変更されてもよい。一例として、ベゼル領域Ｂは、有効領域Ａに比べて１％〜５％の面積を有することができる。
【００４５】
図７は、本発明の一実施形態によるタッチパネルを示したものである。図７の実施形態によるタッチパネルを説明するにおいて、図６のタッチパネルと同じ部分についての説明は省略し、相違点を中心に説明する。
【００４６】
図７を参照すると、図７のベゼル領域Ｂは、複数のベゼル領域Ｂ１、Ｂ２を含んでもよく、具体的には、第１ベゼル領域Ｂ１及び第２ベゼル領域Ｂ２を含むことができる。図７には具体的に示されていないが、基板２１０は、軟性印刷回路基板３００と接合されて電気的に接続されてもよい。具体的には、基板２１０のベゼル部２４０上にはパッド部２３０と連結される配線パターン及びボンディングパッドが設けられてもよく、ボンディングパッドは、軟性印刷回路基板３００と異方性導電フィルム（ＡＣＦ）を介して電気的に接続されることができる。
【００４７】
第１ベゼル領域Ｂ１は、ベゼル領域Ｂのうち軟性印刷回路基板２１０と比較的に近い部分を模式化した領域であり、第２ベゼル領域Ｂ２は、ベゼル領域Ｂのうち軟性印刷回路基板２１０と比較的に遠く離れた部分を模式化した領域である。電極部２２０の抵抗値は、軟性印刷回路基板２１０との距離が遠くなるほど、増加する傾向を示し、第１ベゼル領域Ｂ１と第２ベゼル領域Ｂ２の電極部２２０が同一の開口率を有する場合、第２ベゼル領域Ｂ２の電極部２２０は、第１ベゼル領域Ｂ１の電極部２２０より抵抗値が高い。
【００４８】
一実施形態によると、第２ベゼル領域Ｂ２に設けられる電極部２２０の開口率を、第１ベゼル領域Ｂ１に設けられる電極部２２０の開口率と異なるように設定して抵抗値を下げることができる。具体的には、第２ベゼル領域Ｂ２に設けられる電極部２２０の開口率は、第１ベゼル領域Ｂ１に設けられる電極部２２０の開口率より低くてもよい。第１ベゼル領域Ｂ１に設けられる電極部２２０より第２ベゼル領域Ｂ２に設けられる電極部２２０の導体線の線幅を厚くするか、ピッチを小さくするか、または線幅とピッチの両方を変更して、第２ベゼル領域Ｂ２に設けられる電極部２２０の抵抗値を下げることができる。
【００４９】
図７では、ベゼル領域Ｂを「コ」の字状の第１ベゼル領域Ｂ１と、「ｌ」の字状の第２ベゼル領域Ｂ２に分割したが、その他にも様々な形状に分割することができる。また、図７にはベゼル領域Ｂが二つのベゼル領域Ｂ１、Ｂ２に分割されていることが示されているが、その他に三つ以上の領域に分割されてもよい。
【００５０】
図８は、本発明の一実施形態によるタッチパネルを示したものである。図８の実施形態によるタッチパネルを説明するにおいて、図６のタッチパネルと同じ部分についての説明は省略し、相違点を中心に説明する。
【００５１】
図８を参照すると、図７の有効領域Ａは、複数の有効領域Ａ１、Ａ２を含んでもよい。複数の有効領域Ａ１、Ａ２は、基板２１０の中心点との距離によって所定の面積を有し、複数の有効領域Ａ１、Ａ２別に異なる開口率を有することができる。このとき、中心点との距離が近い領域は、中心点との距離が遠い領域より高い開口率を有することができる。
【００５２】
具体的には、第１有効領域Ａ１及び第２有効領域Ａ２を含んでもよく、第１有効領域Ａ１及び第２有効領域Ａ２に設けられる電極部２２０の開口率は異なってもよい。第１有効領域Ａ１に設けられる電極部２２０の開口率は、第２有効領域Ａ２に設けられる電極部２２０の開口率より高くてもよい。このとき、第２有効領域Ａ２に設けられる電極部２２０の開口率は、ベゼル領域Ｂに設けられる電極部２２０の開口率より高くてもよい。
【００５３】
基板２１０の中心点が位置する第１有効領域Ａ１に設けられる電極部２２０の開口率を、中心点から離れた第２有効領域Ａ２に設けられる電極部２２０の開口率より高く設定して、有効領域Ａの中心部におけるタッチパネルの透明性と導体線の不可視性を上げることができる。
【００５４】
図８では、有効領域Ａを四角形の第１有効領域Ａ１及び第２有効領域Ａ２に分割したが、その他にも円形などの様々な形状に分割してもよい。また、図８には、有効領域Ａが二つの有効領域Ａ１、Ａ２に分割されていることが示されているが、その他に三つ以上の領域に分割されてもよい。
【００５５】
さらに、有効領域Ａ及びベゼル領域Ｂを分離することなく、基板２１０のベゼル領域側（縁）から基板２１０の中心点に近づくにつれて、開口率を漸進的に高く設定することもできる。このとき、開口率は１０％〜９９％の範囲で変動されることができ、線幅は０．５μｍ〜２４μｍ、ピッチは１０μｍ〜５００μｍの範囲で変動されることができる。
【００５６】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【００５７】
２１０  基板
２２０  電極部
２２３  第１電極
２２６  第２電極
２３０  パッド部
２４０  ベゼル部
【図１】
2015049909.tif 000006
【図４】
2015049909.tif 000007
【図５】
2015049909.tif 000008
【図２】
2015049909.tif 000009
【図３】
2015049909.tif 000010
【図６】
2015049909.tif 000011
【図７】
2015049909.tif 000012
【図８】
2015049909.tif 000013